(57)【特許請求の範囲】
【請求項１】
支持面上に寝かされた時に支持面に平行で、かつ、互いに直交する幅方向および奥行方向を有する電子機器の筐体を、支持面上に該筐体の前記奥行方向の後方が該支持面から離間した起立状態で、設置する支持装置において、
前記起立状態にある前記筐体の底面に回動可能に設けられかつ前記支持面に支持される、前記筐体を支えるためのレッグと、
前記筐体の前記底面に回動可能に設けられ、前記レッグの中間部分に係合可能なサポートと、
前記筐体の前記底面に該筐体の前記奥行方向に相当する縦方向に延びるように、かつ、該筐体の前記幅方向に相当する横方向に離隔するように設けられた棒状を呈する一対のベースとを有し、
前記レッグは、前記筐体の前記幅方向に相当する横方向に離隔した一対のレッグ辺が前記横方向に延びる結合辺によって互いに結合されて成るコ字状を呈し、
前記一対のレッグ辺は、前記一対のベースの前記縦方向における各一端部に回動可能に取り付けられていると共に、前記筐体の前記奥行方向における前方端に相当する前記底面の前記縦方向における一端部に接近及び離隔可能な一対の回動末端部を備え、前記結合辺は、前記一対の回動末端部同士を結合しており、
前記サポートは、前記筐体の横方向に離隔した一対のサポート辺が前記横方向に延びる結合辺によって互いに結合されて成るコ字状を呈し、
前記一対のサポート辺は、前記一対のベースの前記縦方向における各他端部に回動可能に取り付けられていると共に、前記筐体の前記奥行方向における後方端に相当する前記底面の前記縦方向における他端部に接近及び離隔可能な一対の回動末端部を備え、前記結合辺は、前記一対の回動末端部同士を結合しており、
前記一対のサポート辺の前記一対の回動末端部が前記一対のレッグ辺の各中間部分に係合位置を変更可能に係合し、これにより前記支持面に対する前記筐体の起立角度を定めるように構成され、
前記一対のベース、前記レッグおよび前記サポートが該レッグおよび該サポートそれぞれの該ベースに対する回動支点部分を除き相互にオーバーラップすることなく、前記レッグおよび前記サポートが前記筐体の前記底面に対してそれぞれ略平行に畳まれ、
前記レッグは、その前記一対の回動末端部が前記支持面に接することによって起立状態にある前記筐体を支持し、
前記一対のレッグ辺は、それらの前記筐体が起立状態にあるときに上方を臨む面に、鋸歯階段状に並んで形成された複数のサポート受容座を備え、
前記サポートは、前記サポート受容座に選択的に係合するものであり、
前記レッグおよび前記サポートが前記筐体の前記底面に対してそれぞれ略平行に畳まれたときに、前記一対のベース、前記一対のレッグ辺および前記一対のサポート辺は、前記筐体の前記底面の周縁部に沿って枠状に配され、前記筐体の前記底面が露出する枠内スペースを形成することを特徴とする支持装置。
【請求項２】
前記レッグおよび前記サポートは、各前記回動末端部が前記筐体の前記底面に接近するように畳まれる請求項１に記載の支持装置。
【請求項３】
起立状態にある前記筐体の前記支持面に対する起立角度をさらに大きくするように前記サポートが係合すべきサポート受容座を変更する際に、前記サポートは、該レッグに接触したままラッチ式に移動可能である請求項１または２に記載の支持装置。
【請求項４】
前記レッグおよび前記サポートはそれぞれ、樹脂成形によって形成された単一の部品である請求項１乃至３のいずれか一項に記載の支持装置。
【請求項５】
前記筐体と、請求項１乃至４のいずれか一項に記載の支持装置とを有することを特徴とする電子機器。
【請求項６】
前記支持装置の前記ベースは、前記筐体の一部として形成されている請求項５に記載の電子機器。
【請求項７】
前記支持装置の前記ベースは、前記筐体とは別体に作られ、かつ、前記筐体に付設されている請求項５に記載の電子機器。
【請求項８】
支持面上に寝かされた時に支持面に平行で、かつ、互いに直交する幅方向および奥行方向を有する電子機器の筐体を、支持面上に該筐体の前記奥行方向の後方が該支持面から離間した起立状態で、起立状態に設置する支持装置において、
前記起立状態にある前記筐体の底面に回動可能に設けられかつ前記支持面に支持される、前記筐体を支えるためのレッグと、
前記筐体の前記底面に回動可能に設けられ、前記レッグの中間部分に係合可能なサポートとを有し、
前記レッグは、前記筐体の前記幅方向に相当する横方向に離隔した棒状を呈する一対のレッグを含み、
前記一対のレッグは、前記横方向に延びる棒状を呈するレッグ結合片によって互いに結合されていると共に、前記筐体の前記奥行方向における前方端に相当する前記底面の前記縦方向における一端部に接近及び離隔可能な一対の回動末端部を備え、前記レッグ結合片は、前記一対の回動末端部同士を結合しており、
前記サポートは、前記筐体の横方向に離隔した棒状を呈する一対のサポートを含み、
前記一対のサポートは、前記横方向に延びる棒状を呈するサポート結合片によって互いに結合されていると共に、前記筐体の前記奥行方向における後方端に相当する前記底面の前記縦方向における他端部に接近及び離隔可能な一対の回動末端部を備え、前記サポート結合片は、前記一対の回動末端部同士を結合しており、
前記一対のサポートの前記一対の回動末端部が前記一対のレッグの各中間部分に係合位置を変更可能に係合し、これにより前記支持面に対する前記筐体の起立角度を定めるように構成され、
前記一対のレッグおよび前記一対のサポートは、互いにオーバーラップすることなく、前記筐体の前記底面に対してそれぞれ略平行に畳まれ、
前記レッグは、その前記一対の回動末端部が前記支持面に接することによって起立状態にある前記筐体を支持し、
前記一対のレッグの少なくとも一方は、その前記筐体が起立状態にあるときに上方を臨む面に、鋸歯階段状に並んで形成された複数のサポート受容座を備え、
前記一対のサポートの少なくとも一方は、前記サポート受容座に選択的に係合するものであり、
前記一対のレッグおよび前記一対のサポートが前記筐体の前記底面に対してそれぞれ略平行に畳まれたときに、前記一対のレッグおよび前記レッグ結合片ならびに前記一対のサポートおよび前記サポート結合片は、前記筐体の前記底面の周縁部に沿って枠状に配され、前記筐体の前記底面が露出する枠内スペースを形成することを特徴とする支持装置。
【請求項９】
前記一対のサポートの少なくとも一方は、前記サポート受容座に係合する突片を備えている請求項８に記載の支持装置。
【請求項１０】
前記一対のレッグの少なくとも一方は、複数のサポート受容座に対応して配列された複数のノットと、前記複数のノットに亘って延びたリブとを備え、
前記サポートは、前記ノットおよび前記リブに係合し、前記レッグからの離脱を阻止する弾性片を有する請求項８または９に記載の支持装置。
【請求項１１】
前記レッグおよび前記サポートはそれぞれ、樹脂成形によって形成された単一の部品である請求項８乃至１０のいずれか一項に記載の支持装置。
【請求項１２】
前記筐体と、請求項８乃至１１のいずれか一項に記載の支持装置とを有することを特徴とする電子機器。
【発明の詳細な説明】
【技術分野】
【０００１】
本発明は、電子機器の筐体を卓上にて起立させて設置するための電子機器の支持装置に関する。
【背景技術】
【０００２】
電子機器類とユーザとの間で情報の入力／出力の少なくとも一方を行うタッチパネル式液晶ディスプレイなどの電子機器は、ユーザの使い勝手を考慮して、幾つかの設置形態が採用される。この設置形態とは、電子機器の筐体を卓上にフラットに寝かせる、筐体を壁に掛ける、あるいは、筐体を卓上にて起立させるなどである。
【０００３】
１番目の設置形態のためには、筐体の底面が卓面に対して座りの良い形状に形成される。２番目の設置形態のためには、壁に設けられたフックに対応する孔が筐体の底面に形成される。３番目の設置形態のためには、卓上で起立する筐体が倒れないように筐体を支えるレッグを有する支持装置が必要である。
【０００４】
部品コストならびに製造コストを低く抑えるためには、部品を変更することなく製造できることが必要である。このため、電気機器の支持装置は、３番目の設置形態専用ではあるけれども、１番目および２番目の設置形態の際に取り外す必要がないことが望ましい。即ち、レッグが、１番目および２番目の設置形態の際に、筐体の底面に対して畳まれることが望ましい。
【０００５】
この種の電子機器の支持装置は、例えば、特許文献１に開示されている。この支持装置は、電子機器の筐体の底面に回動可能に設けられたレッグ（スタンド３０）と、電子機器の筐体の底面に回動可能に設けられ、回動されたレッグの開き角度が規定されるようにレッグが係合するサポート（アーム）とを有している。レッグは、電子機器の筐体を卓上にて起立させて設置する際に筐体を支える。
【０００６】
【特許文献１】特開２００４−２６６０８７公報
【発明の開示】
【発明が解決しようとする課題】
【０００７】
しかし、特許文献１に開示された支持装置には、次のような問題点がある。レッグの回動支点とサポートの回動支点とが比較的遠いと共に、サポートにレッグのステーが係合する受容部が形成されているため、サポートが長く（大きく）かつ複雑な形状である。そして、レッグおよびサポートを筐体の底面に対して畳んだときに、レッグとサポートがオーバーラップしている。このため、ユーザの使い勝手に劣っている。
【０００８】
それ故、本発明の課題は、小型かつ簡素であると共に、ユーザの使い勝手に優れた電子機器の支持装置を提供することである。
【０００９】
本発明の他の課題は、そのような支持装置を有する電子機器を提供することである。
【課題を解決するための手段】
【００１０】
本発明によれば、電子機器の筐体の底面に回動可能に設けられたレッグと、電子機器の筐体の底面に回動可能に設けられ、回動された前記レッグの開き角度を規定するように該レッグに係合するサポートとを有し、前記レッグは、電子機器の筐体を卓上にて起立させて設置する際に筐体を支える電子機器の支持装置において、電子機器の筐体を卓上で寝かせるか、あるいは、壁掛けで設置する際に、前記レッグおよび前記サポートは、互いにオーバーラップすることなく、筐体の底面に対してそれぞれ略平行に畳まれることを特徴とする電子機器の支持装置が得られる。
【００１１】
本発明によればまた、電子機器の筐体の底面に筐体の縦方向に延びるように設けられたベースをさらに有し、前記レッグは、筺体の底面の前記縦方向の一端近傍に対して回動末端が接離自在となるように、前記ベースの該縦方向の一端に回動可能に取り付けられており、前記サポートは、筺体の底面の前記縦方向の他端近傍に対して回動末端が接離自在となるように、前記ベースの該縦方向の他端に回動可能に取り付けられており、電子機器の筐体を卓上にて起立角度を調節可能に起立させて設置する際に、筺体の底面から回動末端が離隔した前記レッグは、その回動末端が筐体の前記縦方向の一端と共に卓面に接地し、筺体の底面から回動末端が離隔した前記サポートは、前記レッグの前記開き角度を筐体の起立角度に応じた大きさに規定するように該レッグに係合し、電子機器の筐体を卓上で寝かせるか、あるいは、壁掛けで設置する際に、前記レッグおよび前記サポートは、各回動末端が筺体の底面に対して接近するようにそれぞれ畳まれる前記電子機器の支持装置が得られる。
【００１２】
前記レッグは、鋸歯階段状に並んで形成された複数のサポート受容座を備えており、前記サポートは、前記複数のサポート受容座に対して選択的に係合するものであり、電子機器の筐体の起立角度を大きくすべく、前記レッグの開き角度が小さくなるように、前記サポートが係合すべきサポート受容座を変更する際に、前記サポートは、該レッグに接触したままラッチ式に移動可能であってもよい。
【００１３】
また、それぞれ電子機器の筐体の横方向に離間した一対の前記レッグおよび一対の前記サポートを有し、前記一対のレッグおよび前記一対のサポートはそれぞれ、当該対の回動末端間が互いに結合されていてもよい。
【００１４】
さらに、前記レッグおよび前記サポートはそれぞれ、樹脂成形によって形成される単一の部品であってもよい。
【００１５】
また、前記ベースは、電子機器の筐体の底面の一部として形成されていてもよい。
【００１６】
本発明によればさらに、筐体と、前記支持装置とを有する電子機器が得られる。
【発明の効果】
【００１７】
本発明による電子機器の支持装置は、小型かつ簡素であると共に、ユーザの使い勝手に優れている。
【発明を実施するための最良の形態】
【００１８】
以下、図面を参照して、本発明の実施形態を説明する。
【００１９】
図１および図２、図３（ａ）および（ｂ）、ならびに図４（ａ）および（ｂ）を参照すると、電子機器の支持装置は、電子機器の筐体１００（図１および図２においては、図示せず）の底面１０１にベース１０を介して回動可能に設けられたレッグ２０と、底面１０１にベース１０を介して回動可能に設けられ、回動されたレッグ２０の開き角度を規定するようにレッグ２０に係合するサポート３０とを有している。レッグ２０は、図４（ａ）に示されたごとく筐体１００を卓上にて起立させて設置する際に、筐体１００を支える。
【００２０】
図３（ａ）および（ｂ）に示されたごとく電子機器の筐体１００を卓上で寝かせるか、あるいは、壁掛けで設置する際に、レッグ２０およびサポート３０は、互いにオーバーラップすることなく、筐体１００の底面１０１に対してそれぞれ略平行に畳まれる。尚、図３（ａ）における符号１０２は、壁面に設けられたフックに対応するスロットであり、筐体１００を壁掛けする際に用いられる。
【００２１】
ベース１０は、筐体１００の底面１０１に、筐体１００の縦方向Ｖに延びるように、設けられている。レッグ２０は、筺体１００の底面１０１の縦方向Ｖの一端（下端）１００Ｌ近傍に対して回動末端が接離自在となるように、ベース１０の縦方向Ｖの一端（下端）１０Ｕに回動可能に取り付けられている。サポート３０は、筺体１００の底面１０１の縦方向Ｖの他端（上端）１００Ｕ近傍に対して回動末端が接離自在となるように、ベース１０の縦方向Ｖの他端（上端）に回動可能に取り付けられている。
【００２２】
図４（ａ）に示されたごとく、電子機器の筐体１００を卓上にて起立角度を調節可能に起立させて設置する際に、図４（ｂ）のように筺体１００の底面１０１から回動末端が離隔したレッグ２０は、その回動末端が筐体１００の縦方向Ｖの一端１００Ｌと共に卓面に接地する。これと共に、筺体１００の底面１０１から回動末端が離隔したサポート３０は、レッグ２０の開き角度を筐体１００の起立角度に応じた大きさに規定するようにレッグ２０に係合する。
【００２３】
一方、図３（ａ）に示されたごとく、電子機器の筐体１００を卓上で寝かせるか、あるいは、壁掛けで設置する際に、レッグ２０およびサポート３０は、各回動末端が筺体１００の底面１０１に対して接近するようにそれぞれ畳まれる。
【００２４】
本実施形態において、本支持装置は、それぞれ電子機器の筐体１００の横方向Ｈに離間した一対のベース１０、一対のレッグ２０、ならびに一対のサポート３０を有している。一対のレッグ２０および一対のサポート３０はそれぞれ、その対の回動末端間が互いに結合されている。
【００２５】
また、図１から明らかなように、レッグ２０は、鋸歯階段状に並んで形成された複数のサポート受容座２３を備えている。本実施形態において、サポート受容座２３は、４ステップである。サポート３０の回動末端に形成された突片３３は、複数のサポート受容座２３に対して選択的に係合するものである。また、電子機器の筐体１００の起立角度を大きくすべく、レッグ２０の開き角度が小さくなるように、突片３３が係合すべきサポート受容座を変更する際に、サポート３０は、レッグ２０に接触したままラッチ式に移動可能である。
【００２６】
尚、図４（ａ）に示されたごとく卓上に起立させた筐体１００をユーザが持ち上げたとしても、レッグ２０に対するサポート３０の係合が外れたり、サポート３０が係合すべきサポート受容座が変わる（ズレる）ことがない。そのための構成を、以下に説明する。
【００２７】
図１および図２を参照すると、レッグ２０の各サポート受容座２３には、凹部（または孔）２４が形成されている。レッグ２０にはまた、サポート受容座２３が並んで形成された範囲に延びるリブ２６が形成されている。レッグ２０にはさらに、各サポート受容座２３に対応して、ノット２５が形成されている。
【００２８】
一方、サポート３０の突片３３の先端には、爪３４が形成されている。サポート３０にはまた、突片３３の近傍に、先端に突起が形成された弾性片３５が形成されている。
【００２９】
レッグ２０に対するサポート３０の係合は、基本的に、凹部２４に爪３４が入り込むことによって保持される。卓上に起立させた筐体１００が持ち上げられたときは、レッグ２０の自重により、レッグ２０がサポート３０から離れようとする。しかし、弾性片３５の突起がリブ２６に引っ掛かるため、サポート３０がレッグ２０から外れることはない。また、弾性片３５の突起がノット２５に引っ掛かるため、サポート３０が係合すべきサポート受容座が変わることもない。反対に、ユーザは、レッグ２０やサポート３０を動かすときは、弾性片３５の突起がリブ２６またはノット２５を乗り越えるように、弾性片３５の弾性力を超える力で操作するようにする。
【００３０】
次に、図１、図２、ならびに図５（ａ）および（ｂ）〜図９（ａ）および（ｂ）を参照して、本支持装置の操作方法として、レッグ２０の開き角度（筐体１００の起立角度）の変更と、レッグ２０およびサポート３０の折り畳みの方法を、以下に説明する。
【００３１】
いま、筐体１００は、本支持装置により、図５（ａ）および（ｂ）に示されるように、卓上に起立している。サポート３０の突片３３は、レッグ２０の第１のサポート受容座２３に係合している。また、爪３４が凹部２４に入り込んでいる。さらに、弾性片３５の突起は、リブ２６および２つのノット２５に規定された領域内にある。
【００３２】
筐体１００が持ち上げられると、図６（ａ）および（ｂ）に示される状態になる。ここで、サポート３０の弾性片３５の突起がレッグ２０のノット２５に引っ掛かるため、レッグ２０の開き角度は、ほぼ保持されている。
【００３３】
レッグ２０の開き角度（筐体１００の起立角度）を変更するときは、ユーザは、図４（ｂ）の矢印の方向にレッグ２０を押し閉じる。この操作により、図７（ａ）および（ｂ）に示されるように、弾性片３５の突起がリブ２６に沿ってノット２５を乗り越える。そして、図８（ａ）および（ｂ）に示されるように、サポート３０の突片３３は、レッグ２０の第２のサポート受容座２３に係合する。また、爪３４が凹部２４に入り込む。この結果、レッグ２０の開き角度（筐体１００の起立角度）が変更される。
【００３４】
筐体１００を卓上に寝かせるか、あるいは、壁掛けするときは、ユーザは、レッグ２０をさらに押し閉じる。この操作により、弾性片３５の突起がリブ２６を乗り越える。そして、図９（ａ）および（ｂ）に示されるように、レッグ２０に対するサポート３０の係合が容易に外れる。ユーザは、レッグ２０およびサポート３０を、これらが筐体１００の底面１０１に略平行になるように折り畳む（図３（ａ）および（ｂ））。
【００３５】
尚、レッグ２０およびサポート３０はそれぞれ、レッグ２０の回動末端に取り付けられる足（滑り止め）を除いて、樹脂成形によって単一の部品として形成されている。
【００３６】
また、ベース１０は、電子機器の筐体１００の底面１０１の一部として筐体１００と一体に形成されてもよい。
【産業上の利用可能性】
【００３７】
以上説明した実施例に限定されることなく、本発明は、当該特許請求の範囲に記載された技術範囲内であれば、種々の変形が可能であることは云うまでもない。
【図面の簡単な説明】
【００３８】
【図１】本発明による電子機器の支持装置の実施形態を示す斜視図である。
【図２】本発明による電子機器の支持装置の実施形態を示す他の斜視図である。
【図３】図１に示された支持装置を有する電子機器の設置の例を示す図であり、（ａ）は斜視図であり、（ｂ）はレッグおよびサポートの動作の例をも示す側面図である。
【図４】図１に示された支持装置を有する電子機器の設置の例を示す図であり、（ａ）は斜視図であり、（ｂ）はレッグおよびサポートの動作の例をも示す側面図である。
【図５】図１に示された支持装置の動作を説明するための図であり、（ａ）は支持装置を有する電子機器の設置の例を示す斜視図であり、（ｂ）は支持装置の一部を示す斜視図である。
【図６】図１に示された支持装置の動作を説明するための図であり、（ａ）は支持装置を有する電子機器の設置の例を示す斜視図であり、（ｂ）は支持装置の一部を示す斜視図である。
【図７】図１に示された支持装置の動作を説明するための図であり、（ａ）は支持装置を有する電子機器の設置の例を示す斜視図であり、（ｂ）は支持装置の一部を示す斜視図である。
【図８】図１に示された支持装置の動作を説明するための図であり、（ａ）は支持装置を有する電子機器の設置の例を示す斜視図であり、（ｂ）は支持装置の一部を示す斜視図である。
【図９】図１に示された支持装置の動作を説明するための図であり、（ａ）は支持装置を有する電子機器の操作の例を示す斜視図であり、（ｂ）は支持装置の一部を示す斜視図である。
【符号の説明】
【００３９】
１０    ベース
１０Ｌ  一端
１０Ｕ  他端
２０    レッグ
２３    サポート受容座
２４    凹部
２５    ノット
２６    リブ
３０    サポート
３３    突片
３４    爪
３５    弾性片
１００    筐体
１００Ｌ  一端
１００Ｕ  他端
１０１    底面
１０２    スロット
Ｈ    横方向
Ｖ    縦方向
【図１】
0005229717.tif 000002
【図２】
0005229717.tif 000003
【図３】
0005229717.tif 000004
【図４】
0005229717.tif 000005
【図５】
0005229717.tif 000006
【図６】
0005229717.tif 000007
【図７】
0005229717.tif 000008
【図８】
0005229717.tif 000009
【図９】
0005229717.tif 000010